(57)【要約】【課題】フラット回路体をコネクタから離脱する際、フラット回路体が破損することを防ぐことができるフラット回路体とコネクタとの接続構造を提供すること。【解決手段】フラット回路体１０の端部である回路体端部１０ａに取り付けられ、該回路体端部１０ａのコネクタ本体７０内への挿入をガイドするガイド部材２０と、コネクタ本体７０に組み付けられる係止部材８０とによって、前記回路体端部１０ａを前記コネクタ本体７０内に係止し、前記フラット回路体１０と前記コネクタ６０とを電気的に接続するフラット回路体とコネクタとの接続構造１において、前記ガイド部材２０は、前記係止部材８０による前記回路体端部１０ａの係止を解除した後に、前記ガイド部材２０と前記コネクタ本体７０との係止を解除する係止解除部３０を有する。【選択図】図１２
2015041498.tif 000002
【特許請求の範囲】
【請求項１】
フラット回路体の端部である回路体端部に取り付けられ、該回路体端部のコネクタ本体内への挿入をガイドするガイド部材と、コネクタ本体に組み付けられる係止部材とによって、前記回路体端部を前記コネクタ本体内に係止し、前記フラット回路体と前記コネクタとを電気的に接続するフラット回路体とコネクタとの接続構造において、
前記ガイド部材は、
前記係止部材による前記回路体端部の係止を解除した後に、前記ガイド部材と前記コネクタ本体との係止を解除する係止解除部
を有することを特徴とするフラット回路体とコネクタとの接続構造。
【請求項２】
前記ガイド部材は、
ガイド部材係止解除操作部が押圧操作されることによって当該ガイド部材と前記コネクタ本体との係止を解除するガイド部材係止解除部と、
前記ガイド部材係止解除操作部の押圧方向と同一、かつ、前記ガイド部材係止解除操作部よりも押圧方向手前側に設けられた係止部材係止解除操作部が押圧操作されることによって前記係止部材による前記回路体端部の係止を解除する係止部材係止解除部と、
を有し、
前記係止部材係止解除操作部が押圧操作される場合、前記係止部材係止解除操作部が押圧方向に所定距離移動して前記ガイド部材係止解除操作部に当接し、前記ガイド部材係止解除操作部とともに押圧方向に移動することによって、前記係止部材の係止が解除された後に前記ガイド部材の係止が解除される
ことを特徴とする請求項１に記載のフラット回路体とコネクタとの接続構造。
【請求項３】
前記ガイド部材係止解除部は、
前記ガイド部材の外表面に突設した第一支点部と、
前記第一支点部から前記コネクタ本体への前記フラット回路体の挿入方向に延びるガイド部材係止アーム部と、
を有し、
前記コネクタ本体は、
前記ガイド部材係止アーム部に係止する係止突起
を有し、
前記ガイド部材係止解除操作部は、
前記第一支点部から前記ガイド部材係止アーム部とは逆方向に延び、押圧操作される場合、前記ガイド部材係止アーム部が前記第一支点部を支点としてシーソー状に可動することによって、前記ガイド部材係止アーム部と前記係止突起との係止を解除し、
前記係止部材係止解除部は、
前記ガイド部材の外表面に突設した第二支点部と、
前記第二支点部から前記コネクタ本体への前記フラット回路体の挿入方向に延びる係止部材係止解除アーム部を有し、
前記係止部材係止解除操作部は、
前記第二支点部から前記係止部材係止解除アーム部とは逆方向に延び、押圧操作される場合、前記係止部材係止解除アーム部が前記第二支点部を支点としてシーソー状に可動し、前記係止部材を係止解除方向に移動するように前記係止部材に接触する
ことを特徴とする請求項２に記載のフラット回路体とコネクタとの接続構造。
【発明の詳細な説明】
【技術分野】
【０００１】
本発明は、フラット回路体とコネクタとを電気的に接続するフラット回路体とコネクタとの接続構造に関する。
【背景技術】
【０００２】
従来、フレキシブルプリント配線板（ＦＰＣ：Ｆｌｅｘｉｂｌｅ  Ｐｒｉｎｔｅｄ  Ｃｉｒｃｕｉｔ）あるいはフレキシブルフラットケーブル等のフラット回路体とコネクタとの接続構造としては、フラット回路体の端部をコネクタのコネクタ本体内に挿入することによってフラット回路体とコネクタとを電気的に接続するようになっている（例えば、特許文献１参照）。
【０００３】
特許文献１に記載されたフラット回路体とコネクタとの接続構造は、フラット回路体にコネクタ本体への挿入をガイドするガイド部材（ブロック）が取り付けられ、このガイド部材とコネクタ本体とが係止されることによってフラット回路体の端部がコネクタ本体内に係止される。また、コネクタ本体には係止部材が組み付けられ、係止部材によって回路体端部をコネクタ本体内に確実に係止するようにしている。
【先行技術文献】
【特許文献】
【０００４】
【特許文献１】特開２０１２−８４５０１号公報
【発明の概要】
【発明が解決しようとする課題】
【０００５】
しかしながら、特許文献１に記載されたフラット回路体とコネクタとの接続構造は、係止部材による係止が解除されないままガイド部材の係止のみ解除された状態で、フラット回路体をコネクタから離脱すると、フラット回路体が破損するおそれがあった。
【０００６】
本発明は、上記に鑑みてなされたものであって、フラット回路体をコネクタから離脱する際、フラット回路体が破損することを防ぐことができるフラット回路体とコネクタとの接続構造を提供することを目的とする。
【課題を解決するための手段】
【０００７】
上述した課題を解決し、目的を達成するために、本発明の請求項１に係るフラット回路体とコネクタとの接続構造は、フラット回路体の端部である回路体端部に取り付けられ、該回路体端部のコネクタ本体内への挿入をガイドするガイド部材と、コネクタ本体に組み付けられる係止部材とによって、前記回路体端部を前記コネクタ本体内に係止し、前記フラット回路体と前記コネクタとを電気的に接続するフラット回路体とコネクタとの接続構造において、前記ガイド部材は、前記係止部材による前記回路体端部の係止を解除した後に、前記ガイド部材と前記コネクタ本体との係止を解除する係止解除部を有することを特徴とする。
【０００８】
また、本発明の請求項２に係るフラット回路体とコネクタとの接続構造は、上記の発明において、前記ガイド部材は、ガイド部材係止解除操作部が押圧操作されることによって当該ガイド部材と前記コネクタ本体との係止を解除するガイド部材係止解除部と、前記ガイド部材係止解除操作部の押圧方向と同一、かつ、前記ガイド部材係止解除操作部よりも押圧方向手前側に設けられた係止部材係止解除操作部が押圧操作されることによって前記係止部材による前記回路体端部の係止を解除する係止部材係止解除部と、を有し、前記係止部材係止解除操作部が押圧操作される場合、前記係止部材係止解除操作部が押圧方向に所定距離移動して前記ガイド部材係止解除操作部に当接し、前記ガイド部材係止解除操作部とともに押圧方向に移動することによって、前記係止部材の係止が解除された後に前記ガイド部材の係止が解除されることを特徴とする。
【０００９】
また、本発明の請求項３に係るフラット回路体とコネクタとの接続構造は、上記の発明において、前記ガイド部材係止解除部は、前記ガイド部材の外表面に突設した第一支点部と、前記第一支点部から前記コネクタ本体への前記フラット回路体の挿入方向に延びるガイド部材係止アーム部と、を有し、前記コネクタ本体は、前記ガイド部材係止アーム部に係止する係止突起を有し、前記ガイド部材係止解除操作部は、前記第一支点部から前記ガイド部材係止アーム部とは逆方向に延び、押圧操作される場合、前記ガイド部材係止アーム部が前記第一支点部を支点としてシーソー状に可動することによって、前記ガイド部材係止アーム部と前記係止突起との係止を解除し、前記係止部材係止解除部は、前記ガイド部材の外表面に突設した第二支点部と、前記第二支点部から前記コネクタ本体への前記フラット回路体の挿入方向に延びる係止部材係止解除アーム部を有し、前記係止部材係止解除操作部は、前記第二支点部から前記係止部材係止解除アーム部とは逆方向に延び、押圧操作される場合、前記係止部材係止解除アーム部が前記第二支点部を支点としてシーソー状に可動し、前記係止部材を係止解除方向に移動するように前記係止部材に接触することを特徴とする。
【発明の効果】
【００１０】
本発明の請求項１に係るフラット回路体とコネクタとの接続構造は、前記係止解除部によって、前記係止部材による前記回路体端部の係止を解除した後に、前記ガイド部材と前記コネクタ本体との係止を解除することができるので、前記係止部材による係止が解除されないまま前記ガイド部材の係止のみ解除された状態で、前記フラット回路体を前記コネクタから離脱することを防止でき、結果的に、フラット回路体をコネクタから離脱する際、フラット回路体が破損することを防ぐことができる。
【００１１】
本発明の請求項２に係るフラット回路体とコネクタとの接続構造は、前記係止部材係止解除操作部を前記ガイド部材係止解除操作部よりも押圧方向手前側に設ける簡易な構成で、前記係止部材による前記回路体端部の係止を解除した後に、前記ガイド部材と前記コネクタ本体との係止を解除することができる。
【００１２】
本発明の請求項３に係るフラット回路体とコネクタとの接続構造は、前記ガイド部材係止解除部と、前記係止部材係止解除部とを簡易なシーソー機構で構成することができる。
【図面の簡単な説明】
【００１３】
【図１】図１は、本発明の実施例に係るフラット回路体とコネクタとの接続構造の分解斜視図である。
【図２】図２は、（ａ）が、フラット回路体がコネクタに接続する前のフラット回路体とコネクタとの接続構造の斜視図であり、（ｂ）が、フラット回路体がコネクタに接続したフラット回路体とコネクタとの接続構造の斜視図である。
【図３】図３は、ガイド部材が取り付けられたフラット回路体の断面図である。
【図４】図４は、コネクタの拡大斜視図である。
【図５】図５は、係止部材の拡大斜視図である。
【図６】図６は、ガイド部材の拡大斜視図である。
【図７】図７は、ガイド部材を底面側から視た拡大斜視図である。
【図８】図８は、図６のガイド部材を矢印Ａ方向から視た図である。
【図９】図９は、図６のガイド部材を矢印Ｂ方向から視た図である。
【図１０】図１０は、フラット回路体の回路体端部がコネクタ本体内に挿入開始されてから係止前までのフラット回路体およびコネクタを示す図である。
【図１１】図１１は、フラット回路体の回路体端部がコネクタ本体内に係止されている状態のフラット回路体およびコネクタを示す図である。
【図１２】図１２は、フラット回路体に対する係止部材およびガイド部材の係止が解除されるまでのフラット回路体およぶコネクタの動作を示す図である。
【図１３】図１３は、係止部材およびガイド部材の係止が解除されたフラット回路体をコネクタ本体から離脱した状態のフラット回路体およびコネクタを示す図である。
【発明を実施するための形態】
【００１４】
以下、図面を参照して、本発明に係るフラット回路体とコネクタとの接続構造の好適な実施例を詳細に説明する。
【実施例】
【００１５】
図１は、本発明の実施例に係るフラット回路体とコネクタとの接続構造１の分解斜視図である。図２は、（ａ）が、フラット回路体１０がコネクタ６０に接続する前のフラット回路体とコネクタとの接続構造１の斜視図であり、（ｂ）が、フラット回路体１０がコネクタ６０に接続したフラット回路体とコネクタとの接続構造１の斜視図である。図３は、ガイド部材２０が取り付けられたフラット回路体１０の断面図である。図４は、コネクタ６０の拡大斜視図である。図５は、係止部材８０の拡大斜視図である。図６は、ガイド部材２０の拡大斜視図である。図７は、ガイド部材２０を底面側から視た拡大斜視図である。図８は、図６のガイド部材２０を矢印Ａ方向から視た図である。図９は、図６のガイド部材２０を矢印Ｂ方向から視た図である。
なお、本発明の実施例では説明の便宜上、図中に示すように前後、左右及び上下方向を定義する。
【００１６】
本発明の実施例に係るフラット回路体とコネクタとの接続構造１は、フレキシブルプリント配線板あるいはフレキシブルフラットケーブル等のフラット回路体１０の端部である回路体端部１０ａに取り付けられ、回路体端部１０ａのコネクタ本体７０内への挿入をガイドするガイド部材２０と、コネクタ本体７０に組み付けられる係止部材８０とによって、回路体端部１０ａをコネクタ本体７０内に係止し、フラット回路体１０とコネクタ６０とを電気的に接続するものである。
【００１７】
まず、フラット回路体１０について説明する。
フラット回路体１０は、この実施例では、フレキシブルプリント配線板を用いる。このフラット回路体１０は、導電性の金属膜がパターン形成された不図示の回路配線を有し、この回路配線の両面が絶縁性薄膜フィルム１１によって覆われた平板状可撓性の回路基板である。
【００１８】
また、フラット回路体１０の回路体端部１０ａには不図示の複数の端子が並んで形成されている。複数の端子は、絶縁性薄膜フィルム１１の一部が除去され各端子の接続面が露出されることによって、コネクタ６０の各端子に接続するようになっている。
また、回路体端部１０ａは、複数の端子が露出される側の面の裏面に補強板１２が貼り付けられることによって補強されている。
【００１９】
このようなフラット回路体１０は、後述する回路体係止部８３が係止する回路体被係止部１３を有する。
回路体被係止部１３は、回路体端部１０ａに形成された貫通孔であり、二箇所に設けられた回路体係止部８３に対応して回路体端部１０ａの二箇所に形成されている。
【００２０】
次に、ガイド部材２０について説明する。
ガイド部材２０は、本体部分を構成するガイド本体部２１と、ガイド本体部２１とは別部材のカバー部材２２と、を有する。
【００２１】
ガイド本体部２１は、合成樹脂等の絶縁性材からなり、外郭が略直方体形状をなす。このガイド本体部２１は、フラット回路体１０が取り付けられる回路体取付部２３と、係止解除部３０と、を有する。
【００２２】
回路体取付部２３は、フラット回路体１０が取り付けられる取付面２３ａと、取付面２３ａの二箇所に突設された保持突起２３ｂ、２３ｂと、ガイド本体部２１の両側部に突設されたカバー係止突起２３ｃと、を有する。
【００２３】
取付面２３ａは、ガイド本体部２１の裏面に形成された平面部分であり、フラット回路体１０が面接触されるように取り付けられる。
【００２４】
各保持突起２３ｂは、フラット回路体１０に形成された各保持孔１４に嵌め込まれることによって、フラット回路体１０を所定位置に位置決めするものである。
なお、二箇所の保持突起２３ｂ、２３ｂは互いの位置を回路体端部１０ａの挿入方向にズラして設けられている。また、二箇所の保持突起２３ｂ、２３ｂに対応してフラット回路体１０の保持孔１４、１４がズラして形成されているため、フラット回路体１０が表裏を間違えてガイド本体部２１に取り付けられることを防止でき、フラット回路体１０の誤組み付けが防止されるようになっている。
【００２５】
各カバー係止突起２３ｃは、カバー部材２２の係止部２２ｂと係止する部分である。
【００２６】
係止解除部３０は、係止部材８０による回路体端部１０ａの係止を解除した後に、ガイド部材２０とコネクタ本体７０との係止を解除する部分であり、ガイド部材係止解除部４０と、係止部材係止解除部５０と、を有する。
【００２７】
ガイド部材係止解除部４０は、ガイド部材係止解除操作部４１が押圧操作されることによってガイド部材２０とコネクタ本体７０との係止を解除する部分である。
このガイド部材係止解除部４０は、ガイド部材係止解除操作部４１と、ガイド部材２０の外表面に突設した第一支点部４２と、第一支点部４２からコネクタ本体７０へのフラット回路体１０の挿入方向に延びるガイド部材係止アーム部４３と、を有する。
【００２８】
ガイド部材係止解除操作部４１は、第一支点部４２からガイド部材係止アーム部４３とは逆方向に延び、押圧操作される場合、ガイド部材係止アーム部４３が第一支点部４２を支点としてシーソー状に可動することによって、ガイド部材係止アーム部４３とコネクタ本体７０の後述する係止突起７７との係止を解除する。
より具体的には、ガイド部材係止アーム部４３は、図３に示すように、第一支点部４２からコネクタ本体７０へのフラット回路体１０の挿入方向に延びる一対のアーム部４３ａ、４３ａと、一対のアーム部４３ａ、４３ａの先端を橋渡すように連結する端部連結部４３ｂと、を有する。
【００２９】
ガイド部材係止アーム部４３は、回路体端部１０ａがコネクタ本体７０内に挿入される際、一対のアーム部４３ａ、４３ａが第一支点部４２を支点としてシーソー状に可動することによって、端部連結部４３ｂが係止突起７７をのり越えるようになっている。このため、ガイド部材係止アーム部４３は、端部連結部４３ｂが係止突起７７をのり越えた後、一対のアーム部４３ａ、４３ａが中立位置に戻ることによって、係止突起７７に係止する。
【００３０】
なお、一対のアーム部４３ａ、４３ａは、ガイド部材係止解除操作部４１が押圧操作される前の中立位置では、フラット回路体１０の挿入方向に略平行に延びた状態になっている。
【００３１】
係止部材係止解除部５０は、ガイド部材係止解除操作部４１の押圧方向と同一、かつ、ガイド部材係止解除操作部４１よりも押圧方向手前側に設けられた係止部材係止解除操作部５１が押圧されることによって係止部材８０による回路体端部１０ａの係止を解除する部分である。
この係止部材係止解除部５０は、第二支点部５２からコネクタ本体７０へのフラット回路体１０の挿入方向に延びる二つの係止部材係止解除アーム部５３、５３を有する。
【００３２】
係止部材係止解除操作部５１は、第二支点部５２から係止部材係止解除アーム部５３とは逆方向に延び、押圧操作される場合、係止部材係止解除アーム部５３が第二支点部５２を支点としてシーソー状に可動し、係止部材８０を係止解除方向に移動するように係止部材８０に接触する。
より具体的には、二つの係止部材係止解除アーム部５３は、コネクタ本体７０の長手方向に所定の間隔を開けて二箇所に設けられている。
各係止部材係止解除アーム部５３は、係止部材係止解除操作部５１が押圧操作される前の状態では、アーム先端がフラット回路体１０の挿入方向に略平行に延びた状態で後述するアーム配置溝８４に配置される。この状態で係止部材係止解除操作部５１が押圧操作されることによって、各係止部材係止解除アーム部５３が係止部材８０を係止解除方向に押し上げるようになっている。
【００３３】
また、係止部材係止解除操作部５１は、ガイド部材係止解除操作部４１に対して押圧方向手前側に所定間隔を設けて配置される。すなわち、係止部材係止解除操作部５１が押圧操作された後、係止部材係止解除操作部５１が所定間隔分だけ押圧方向に移動されるまでは、ガイド部材係止解除操作部４１の押圧操作が行われないようになっている。
【００３４】
カバー部材２２は、合成樹脂等の絶縁性材からなり、図１に示すように、外形が長方形形状の板状部材であり、ガイド本体部２１にフラット回路体１０を固定するものである。
このカバー部材２２は、長手方向の両縁が上方に折り曲げられた折り曲げ部２２ａ、２２ａを有する。各折り曲げ部２２ａは、ガイド本体部２１の側部に接触され、カバー係止突起２３ｃと係止する係止部２２ｂが設けられている。
このようなカバー部材２２は、係止部２２ｂをカバー係止突起２３ｃに係止することによって、ガイド本体部２１との間にフラット回路体１０を挟み込み保持する。
【００３５】
次に、コネクタ６０について説明する。
コネクタ６０は、本体部分を構成するコネクタ本体７０と、コネクタ本体７０に組み付けられる係止部材８０と、を有する。
【００３６】
コネクタ本体７０は、合成樹脂等の絶縁材からなり、底面を形成する外形長方形状の底壁７１と、底壁７１の左右の両端部に立設した側壁７２、７２と、底壁７１の後端部に立設した後壁７３と、上面を形成する天井壁７４と、を有する。
このコネクタ本体７０は、これらの壁によって外郭を形成するとともに、回路体挿入口７０ａから挿入された回路体端部１０ａが収容される回路体端部収容空間７０ｂを有する。回路体端部収容空間７０ｂ内には、複数の端子１００が配置され、これら複数の端子１００がフラット回路体１０の端子に接続するようになっている。
【００３７】
また、コネクタ本体７０は、係止部材８０が組み付けられる係止部材組付部７５と、ガイド部材２０を係止することによって回路体端部１０ａをコネクタ本体７０内に係止する係止突起７７と、を有する。
【００３８】
係止部材組付部７５は、係止部材８０の移動をガイドするように後述する一対の被ガイド部８２、８２に対応して左右の両側壁７２、７２に設けられた一対のガイド部７６、７６を有する。
各ガイド部７６は、係止部材８０が係止部材組付部７５に組み付けられることによって、回路体端部１０ａがコネクタ本体７０内に挿入されてからコネクタ本体７０内に係止されまでの係止部材８０の移動をガイドするガイド面７６ａ（図１参照）を有する。
【００３９】
係止突起７７は、コネクタ本体７０の上面から突起した突起部分であり、ガイド部材２０のガイド部材係止アーム部４３を係止する部分である。
【００４０】
このようなコネクタ本体７０は、固定金具９０によって取付先となる不図示の基板等に固定される。
【００４１】
係止部材８０は、合成樹脂等の絶縁材からなり、部材本体８１と、一対の被ガイド部８２、８２と、部材本体８１の二箇所に設けられた回路体係止部８３、８３と、二箇所に設けられたアーム配置溝８４と、を有する。
この係止部材８０は、回路体係止部８３を回路体被係止部１３に係脱できるようにコネクタ本体７０に組み付けられる。
【００４２】
各被ガイド部８２は、部材本体８１の長手方向の各端部に設けられ、ガイド面７６ａに弾性力を利用して付勢されることによって、下方に移動する力を受ける部分である。
また、各被ガイド部８２は、自由端側を係止部材８０の内側に向けて弾性的に撓み変形可能に設けられ、かつガイド面７６ａに付勢する一対の弾性アーム部８２ａ、８２ａを有する。
【００４３】
各弾性アーム部８２ａは、先端部に係止部材８０の外側に向けて突起した付勢突起８２ｂが設けられている。
この付勢突起８２ｂがガイド面７６ａに付勢され、弾性アーム部８２ａの撓み荷重がガイド面７６ａに負荷されることによって、その反力を受けた係止部材８０が自動で下方に移動するようになっている。
すなわち、係止部材８０は、各回路体係止部８３を上方から各回路体被係止部１３の孔内に嵌め込むため、弾性力を利用して自動で下方に移動するようになっている。
【００４４】
回路体係止部８３は、回路体被係止部１３を係止する部分である。この回路体係止部８３は、回路体被係止部１３の孔内に嵌め込まれる凸部である。
【００４５】
また、回路体係止部８３は、回路体端部１０ａが摺接する摺接面８３ａを有する。
摺接面８３ａは、下端から上方に向けて上り傾斜状に傾斜するように回路体係止部８３の前面に形成されている。この摺接面８３ａに回路体端部１０ａが摺接することによって、係止部材８０が一対の被ガイド部８２、８２をガイド面７６ａにガイドされながら上方に移動する。これにより、回路体端部１０ａが回路体係止部８３に移動を阻止されることなくコネクタ本体７０内に挿入される。
【００４６】
各アーム配置溝８４は、係止部材係止解除部５０によって係止部材８０が係止解除方向に移動する場合に、各係止部材係止解除アーム部５２が溝底面に接触するようになっている。
各アーム配置溝８４は、部材本体８１の下面に各係止部材係止解除アーム部５２に対応して二箇所に設けられた溝部であり、コネクタ本体７０の上面との間に係止部材係止解除アーム部５２の先端が挿入できる溝深さに調整されている。
【００４７】
次に、図１０および図１１を用いて、フラット回路体１０の回路体端部１０ａがコネクタ本体内に挿入開始されてからコネクタ本体７０内に係止されるまでのフラット回路体１０およびコネクタ６０の動作について説明する。
図１０は、フラット回路体１０の回路体端部１０ａがコネクタ本体７０内に挿入開始されてから係止前までのフラット回路体１０およびコネクタ６０を示す図である。
図１１は、フラット回路体１０の回路体端部１０ａがコネクタ本体７０内に係止されている状態のフラット回路体１０およびコネクタ６０を示す図である。
なお、図１０および図１１において、（Ａ）が図２に示すフラット回路体とコネクタとの接続構造１のＡ−Ａ線断面図であり、（Ｂ）が図２に示すフラット回路体とコネクタとの接続構造１のＢ−Ｂ線断面図であり、（Ｃ）が図２に示すフラット回路体とコネクタとの接続構造１のＣ−Ｃ線断面図である。
【００４８】
まず、フラット回路体１０が回路体挿入口７０ａからコネクタ本体７０内に挿入開始される（図１０参照）。この時点では、係止部材８０が移動範囲の下端に位置しているため、各回路体係止部８３が移動範囲の下端に位置している。
【００４９】
その後、フラット回路体１０が挿入方向奥側にさらに移動され、各係止部材係止解除アーム部５３が対応するアーム配置溝８４の手前に配置される。
この時点では、ガイド部材係止アーム部４３の端部連結部４３ｂが係止突起７７に接触開始することによって、ガイド部材係止アーム部４３がシーソー状に可動開始し、端部連結部４３ｂが係止突起７７をのり越えるように移動する。
また、回路体端部１０ａが各回路体係止部８３の摺接面８３ａに摺接することによって、係止部材８０が上方に押し上げられる。これにより、各回路体係止部８３が上方に移動し、フラット回路体１０が各回路体係止部８３に阻止されることなく移動できる。
【００５０】
その後、フラット回路体１０が挿入方向奥側にさらに移動されることによって、回路体端部１０ａがコネクタ本体７０内に係止される（図１１参照）。
より具体的には、端部連結部４３ｂが係止突起７７をのり越えた後、ガイド部材係止アーム部４３が中立位置に戻ることによって、ガイド部材係止アーム部４３が係止突起７７を係止する。
一方、各被ガイド部８２が係止部材８０を下方に移動する力を受けることによって、係止部材８０が自動で下方に移動し、各回路体係止部８３が各回路体被係止部１３を係止する。
また、このように回路体端部１０ａがコネクタ本体７０内に係止されると、各係止部材係止解除アーム部５３が対応したアーム配置溝８４内に挿入される。
【００５１】
次に、図１２および図１３を用いて、コネクタ本体７０内に係止されたフラット回路体１０をコネクタ６０から離脱するまでのフラット回路体１０およぶコネクタ６０の動作について説明する。
図１２は、フラット回路体１０に対する係止部材８０およびガイド部材２０の係止が解除されるまでのフラット回路体１０およぶコネクタ６０の動作を示す図である。
図１３は、係止部材８０およびガイド部材２０の係止が解除されたフラット回路体１０をコネクタ本体７０から離脱した状態のフラット回路体１０およびコネクタ６０を示す図である。
なお、図１２および図１３において、（Ａ）が図２に示すフラット回路体とコネクタとの接続構造１のＡ−Ａ線断面図であり、（Ｂ）が図２に示すフラット回路体とコネクタとの接続構造１のＢ−Ｂ線断面図であり、（Ｃ）が図２に示すフラット回路体とコネクタとの接続構造１のＣ−Ｃ線断面図である。
【００５２】
まず、係止部材係止解除操作部５１が押圧操作開始される（図１２左図参照）。この押圧操作により各係止部材係止解除アーム部５３が第二支点部５２を支点としてシーソー状に可動し、係止部材８０が押し上げられる。このため、係止部材８０による回路体端部１０ａの係止が解除される。
なお、この状態では、係止部材係止解除操作部５１とガイド部材係止解除操作部４１との間に隙間があり、係止部材係止解除操作部５１がガイド部材係止解除操作部４１に当接しないため、ガイド部材係止解除操作部４１の押圧操作は行われず、ガイド部材２０とコネクタ本体７０とは係止状態のままである。すなわち、この状態ではフラット回路体１０をコネクタ６０から離脱できない。
【００５３】
その後、係止部材係止解除操作部５１がさらに押圧方向に押圧操作される（図１２右図参照）。
この操作により係止部材係止解除操作部５１がガイド部材係止解除操作部４１に当接し、係止部材係止解除操作部５１を介してガイド部材係止解除操作部４１に対する押圧操作が行われる。
このため、各アーム部４３ａが第一支点部４２を支点としてシーソー状に可動し、端部連結部４３ｂが係止突起７７をのり越える位置に移動することによって、ガイド部材２０とコネクタ本体７０との係止が解除される。
すなわち、この時点で、係止部材８０とガイド部材２０との両方の係止が解除される。
【００５４】
その後、係止解除されたフラット回路体１０がコネクタ本体７０から離脱される（図１３参照）。
【００５５】
本発明の実施例に係るフラット回路体とコネクタとの接続構造１は、係止解除部３０によって、係止部材８０による回路体端部１０ａの係止を解除した後に、ガイド部材２０とコネクタ本体７０との係止を解除することができるので、係止部材８０による係止が解除されないままガイド部材２０の係止のみ解除された状態で、フラット回路体１０をコネクタ６０から離脱することを防止でき、結果的に、フラット回路体１０をコネクタ６０から離脱する際、フラット回路体１０が破損することを防ぐことができる。
【００５６】
また、本発明の実施例に係るフラット回路体とコネクタとの接続構造１は、係止部材係止解除操作部５１をガイド部材係止解除操作部４１よりも押圧方向手前側に設ける簡易な構成で、係止部材８０による回路体端部１０ａの係止を解除した後に、ガイド部材２０とコネクタ本体７０との係止を解除することができる。
【００５７】
また、本発明の実施例に係るフラット回路体とコネクタとの接続構造１は、ガイド部材係止解除部４０と、係止部材係止解除部５０とを簡易なシーソー機構で構成することができる。
【００５８】
なお、本発明の実施例に係るフラット回路体とコネクタとの接続構造１は、係止解除部３０がシーソー状に可動する構成を例示したが、これに限らず、係止部材８０による回路体端部１０ａの係止を解除した後に、ガイド部材２０とコネクタ本体７０との係止を解除する構成であればその他の構成であっても構わない。
【００５９】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００６０】
１        フラット回路体とコネクタとの接続構造
１０      フラット回路体
１０ａ    回路体端部
１１      絶縁性薄膜フィルム
１２      補強板
１３      回路体被係止部
１４      保持孔
２０      ガイド部材
２１      ガイド本体部
２２      カバー部材
２２ａ    折り曲げ部
２２ｂ    係止部
２３      回路体取付部
２３ａ    取付面
２３ｂ    保持突起
２３ｃ    カバー係止突起
３０      係止解除部
４０      ガイド部材係止解除部
４１      ガイド部材係止解除操作部
４２      第一支点部
４３      ガイド部材係止アーム部
４３ａ    アーム部
４３ｂ    端部連結部
５０      係止部材係止解除部
５１      係止部材係止解除操作部
５２      第二支点部
５３      係止部材係止解除アーム部
６０      コネクタ
７０      コネクタ本体
７０ａ    回路体挿入口
７０ｂ    回路体収容空間
７１      底壁
７２      側壁
７３      後壁
７４      天井壁
７５      係止部材組付部
７６      ガイド部
７６ａ    ガイド面
７７      係止突起
８０      係止部材
８１      部材本体
８２      被ガイド部
８２ａ    弾性アーム部
８２ｂ    付勢突起
８３      回路体係止部
８３ａ    摺接面
８４      アーム配置溝
９０      固定金具
１００    端子
【図１】
2015041498.tif 000003
【図２】
2015041498.tif 000004
【図３】
2015041498.tif 000005
【図４】
2015041498.tif 000006
【図５】
2015041498.tif 000007
【図６】
2015041498.tif 000008
【図７】
2015041498.tif 000009
【図８】
2015041498.tif 000010
【図９】
2015041498.tif 000011
【図１０】
2015041498.tif 000012
【図１１】
2015041498.tif 000013
【図１２】
2015041498.tif 000014
【図１３】
2015041498.tif 000015